(57)【要約】【目的】無線チャネルに妨害波が存在する状態をより確実に判断することによって、動作遅延及び消費電力の増大を招くことのない無線ＬＳＩ装置及び妨害波検出回路を提供する。【構成】本発明による無線ＬＳＩ装置は、現在送受信チャネルにおけるＲＳＳＩ信号を取り込む妨害波検出回路を含む。該妨害波検出回路は、該ＲＳＳＩ信号の値が所定の閾値以上であるか否かを判定する電界強度判定器と、判定結果が所定の閾値以上である妨害波の継続時間をカウントする継続時間カウンタと、該継続時間が該継続時間比較値を超えたときに割込信号を生成する継続時間比較器とを含み、該無線ＬＳＩ装置は該割込信号の生成に応じて現在送受信チャネルの設定を変更する。【選択図】図５
2010124188.tif 000002
【特許請求の範囲】
【請求項１】
複数の無線チャネルを有するＲＦ送受信部と、前記無線チャネルうちの何れか１のチャネルを選択し、これを前記ＲＦ送受信部の現在送受信チャネルに設定するＲＦ制御部と、を含む無線ＬＳＩ装置であって、
前記ＲＦ送受信部から前記現在送受信チャネルのＲＳＳＩ信号を取り込む妨害波検出回路を含み、
前記妨害波検出回路は、
前記ＲＳＳＩ信号の値が所定の閾値以上であるか否かを判定する電界強度判定器と、
前記電界強度判定器の判定結果が所定の閾値以上である妨害波の継続時間をカウントする継続時間カウンタと、
前記継続時間カウンタによってカウントされた妨害波の継続時間と所定の継続時間比較値とを比較し、前記妨害波の継続時間が前記継続時間比較値を超えたときに割込信号を生成する継続時間比較器と、
を含み、前記ＲＦ制御部は、前記割込信号の生成に応じて前記現在送受信チャネルの設定を変更することを特徴とする無線ＬＳＩ装置。
【請求項２】
前記妨害波検出回路は、前記閾値を外部設定可能とする電界強度閾値レジスタと、前記継続時間比較値を外部設定可能とする継続時間比較値レジスタと、をさらに含むことを特徴とする請求項１記載の無線ＬＳＩ装置。
【請求項３】
前記継続時間比較値レジスタには、前記継続時間比較値として、前記無線チャネルにおいて送受信される無線信号のパケット長の略２倍に相当する時間が設定されることを特徴とする請求項２記載の無線ＬＳＩ装置。
【請求項４】
ＲＳＳＩ信号の値に応じて妨害波の有無を検出する妨害波検出回路であって、
前記ＲＳＳＩ信号の値が所定の閾値以上であるか否かを判定する電界強度判定器と、
前記電界強度判定器の判定結果が所定の閾値以上である妨害波の継続時間をカウントする継続時間カウンタと、
前記継続時間カウンタによってカウントされた妨害波の継続時間と所定の継続時間比較値とを比較し、前記妨害波の継続時間が前記継続時間比較値を超えたときに、前記妨害波の存在を示す割込信号を生成する継続時間比較器と、
を含むことを特徴とする妨害波検出回路。
【請求項５】
前記閾値を外部設定可能とする電界強度閾値レジスタと、前記継続時間比較値を外部設定可能とする継続時間比較値レジスタと、をさらに含むことを特徴とする請求項４記載の妨害波検出回路。
【発明の詳細な説明】
【技術分野】
【０００１】
本発明は、複数の無線チャネルうちの何れかのチャネルを選択して無線通信を行う無線ＬＳＩ装置に関し、特に、チャネル選択を妨害波の検出に応じて行う無線ＬＳＩ装置、並びにかかる妨害波の検出を行う妨害波検出回路に関する。
【背景技術】
【０００２】
図１は、テレビジョン装置１と、この操作を遠隔にて行うためのリモートコントローラ（以下、リモコンと称する）２との間で通常行われる信号のやり取りの様子を示している。テレビジョン（以下、ＴＶと称する）装置１は、通常の地上又は衛星を介したアナログ又はデジタル放送を再生する装置であり、リモコン２に仕様上対応するリモコン送受信部３を備えている。リモコン送受信部３は、リモコン２からコントロール信号の内容に応じてＴＶ装置１の放送チャネルの変更や音量調整等を行う。リモコン２は、複数の無線チャネルうちの何れかのチャネルを選択して無線通信を行う無線ＬＳＩ装置を含み、操作者の任意のリモコンボタン操作に応じて対応するコントロール信号をＴＶ装置１に１つのチャネルを介して送信する。
【０００３】
図１における信号のやり取りの手順を説明すると、最初に、ＴＶ装置１は、電源ＯＮに応じてリモコン送受信部３が起動され、コントロール信号を受信するまで待機している。一方、リモコン２は、ボタン押下による電源ＯＮに応じて起動され、チャネル選択（CCA: Clear Channel Assessment）を実行して、選択した当該チャネル上の電波の有無を判定する。リモコン２は、当該チャネルに電波があった場合には、乱数等で定まる遅延時間の後に再度チャネル選択を行い、チャネルが空きになるまでこの処理を繰り返し、当該チャネルに電波が無かった場合に、初めて操作者のリモコンボタン操作に応じたコントロール信号を当該チャネルに送信して待機する。
【０００４】
ＴＶ装置１は、リモコン２からコントロール信号を受信すると、正常に受信した旨のＡｃｋ信号を送信する。ＴＶ装置１は、当該コントロール信号に応じた対応動作（例えば音量調整）を行って、次のコントロール信号を待ち受ける。一方、リモコン２は、ＴＶ装置１から送信されたＡｃｋ信号を受信すると１つの遠隔操作の動作を完了する。
【０００５】
図１の下段は、妨害波が存在する場合の状況を説明している。ここで、リモコン２がコントロール信号を送信した時に妨害波が介在すると、ＴＶ装置１は、このコントロール信号に応じたＡｃｋ信号を送信することがない、或いは送信したとしてもリモコン２に到来することがない。この場合、リモコン２は、Ａｃｋ信号が所定期間を過ぎても到来しない場合には当該チャネルにおけるコントロール信号の送信を諦め、改めてチャネル選択からやり直してチャネル切替を行うことになる。かかる現象はリモコン２の動作遅延を招くと共に内蔵する電池の消費電力の増大を招くことになる。
【０００６】
特許文献１は、無線チャネルの切替に起因したスループット低下を回避する技術を開示している。特許文献１の図２及び段落［００２３］を参照すると、「一回目の無線チャネル電界強度測定の結果と、１回目の測定から所定時間（設定されたカウント時間）が経過した後の２回目の無線チャネル電界強度測定の結果とが共に基準値を上回っていると判断された場合に、無線チャネルの切り替えを実行する」との記載がある。
【特許文献１】特開２０００−０６９５６５号公報
【発明の開示】
【発明が解決しようとする課題】
【０００７】
しかしながら、特許文献１の如き従来技術においては、特定の２つのタイミングでのみ電界強度（ＲＳＳＩ：Received Signal Strength Indication）測定を行うので、少なくともそれらのタイミングで無線チャネル電界強度が基準値を上回ってさえすれば、妨害波による干渉を受けていると判断され、無線チャネルが切り替えられてしまう可能性がある（図２参照）。つまり、本来は、干渉を受ける状態ではない無線チャネルが「干渉を受け得る」と判断されて、不必要に無線チャネルの切り替えが実行されてしまう可能性がある。かかる現象は、なおスループットの低下を招くと共に消費電力の増大を招くことになる。とりわけ、その電源を電池によってまかなうリモートコントローラにおいては電池寿命を著しく損なうことになる。
【０００８】
本発明は、上記した問題に鑑みてなされたものであって、その目的は、無線チャネルに妨害波が存在する状態をより確実に判断することによって、動作遅延及び消費電力の増大を招くことのない無線ＬＳＩ装置及び妨害波検出回路を提供することである。
【課題を解決するための手段】
【０００９】
本発明による無線ＬＳＩ装置は、複数の無線チャネルを有するＲＦ送受信部と、前記無線チャネルうちの何れか１のチャネルを選択し、これを前記ＲＦ送受信部の現在送受信チャネルに設定するＲＦ制御部と、を含む無線ＬＳＩ装置であって、前記ＲＦ送受信部から前記現在送受信チャネルのＲＳＳＩ信号を取り込む妨害波検出回路を含み、前記妨害波検出回路は、前記ＲＳＳＩ信号の値が所定の閾値以上であるか否かを判定する電界強度判定器と、前記電界強度判定器の判定結果が所定の閾値以上である妨害波の継続時間をカウントする継続時間カウンタと、前記継続時間カウンタによってカウントされた妨害波の継続時間と所定の継続時間比較値とを比較し、前記妨害波の継続時間が前記継続時間比較値を超えたときに割込信号を生成する継続時間比較器と、を含み、前記ＲＦ制御部は、前記割込信号の生成に応じて前記現在送受信チャネルの設定を変更することを特徴とする。
【００１０】
本発明による妨害波検出回路は、ＲＳＳＩ信号の値に応じて妨害波の有無を検出する妨害波検出回路であって、前記ＲＳＳＩ信号の値が所定の閾値以上であるか否かを判定する電界強度判定器と、前記電界強度判定器の判定結果が所定の閾値以上である妨害波の継続時間をカウントする継続時間カウンタと、前記継続時間カウンタによってカウントされた妨害波の継続時間と所定の継続時間比較値とを比較し、前記妨害波の継続時間が前記継続時間比較値を超えたときに、前記妨害波の存在を示す割込信号を生成する継続時間比較器と、を含むことを特徴とする。
【発明の効果】
【００１１】
本発明による無線ＬＳＩ装置及び妨害波検出回路によれば、無線チャネルに妨害波が存在する状態をより確実に判断することができる。これによって、動作遅延及び消費電力の増大を回避することができる。
【発明を実施するための最良の形態】
【００１２】
本発明の実施例について添付の図面を参照しつつ詳細に説明する。
【００１３】
図３は、本発明に実施例を示し、リモートコントローラと共に用いられるＴＶ装置の構成を示している。ＴＶ装置１００は、通常のＴＶ放送受信再生機能（図示せず）と共に、電源１５から電源ライン１３及び１４を介して動作電力が供給される無線ＬＳＩ装置３０とホストマイコン１２とを備える。無線ＬＳＩ装置３０は、無線アンテナ１１を介してリモートコントローラ（図４参照）との間でデータ信号、すなわち本実施例ではコントロール信号を送受信する。ホストマイコン１２は、無線ＬＳＩ装置３０からのレディ信号（READY） に応じて、無線ＬＳＩ装置３０との間で、コントロール信号（SIO）を入出力し、該コントロール信号の内容に応じてＴＶ装置１００本体のマイコン（図示せず）に放送チャネルの変更や音量調整のための制御信号を供給する。ホストマイコン１２は、また、無線ＬＳＩ装置３０に向けて電源制御信号（POW_ON）を出力することで無線ＬＳＩ装置３０自体の起動を行う。
【００１４】
図４は、本発明に実施例を示し、ＴＶ装置と共に用いられるリモートコントローラの構成を示している。リモートコントローラ（リモコン）２００は、操作者の任意のボタン押下操作に応じてＴＶ装置を遠隔制御する機能を有し、電源２５から電源ライン２３及び２４を介して動作電力が供給される無線ＬＳＩ装置３０とホストマイコン２２とを備える。無線ＬＳＩ装置３０は、無線アンテナ１１を介してリモートコントローラ（図４参照）との間でデータ信号、すなわち本実施例ではコントロール信号を送受信する。ホストマイコン２２は、無線ＬＳＩ装置３０からのレディ信号（READY）に応じて、無線ＬＳＩ装置３０との間で、コントロール信号（SIO）を入出力し、キースキャンユニット２６に備えられたボタンの押下を検出して当該ボタンに対応するコントロール信号を無線ＬＳＩ装置３０に供給する。ホストマイコン２２は、また、無線ＬＳＩ装置３０に向けて電源制御信号（POW_ON）を出力することで無線ＬＳＩ装置３０自体の起動を行う。
【００１５】
図５は、図３及び図４に示された無線ＬＳＩ装置の内部構成を示している。無線ＬＳＩ装置３０は、複数の無線チャネルうちの何れかのチャネルを選択して無線通信を行う装置であって、１つの大規模集積半導体チップとして実現され得る。無線ＬＳＩ装置３０は、ＲＦ送受信部３１と、復調部３２と、ＲＳＳＩ測定部３３と、ＲＦ制御部３４と、変調部３５と、妨害波検出回路４０と、物理層処理部３６と、ＭＡＣ層処理部３７と、ホストコントローラ３８と、レギュレータ３９とを含む。
【００１６】
ＲＦ送受信部３１は、例えばＺｉｇＢｅｅ等の無線通信規格に基づく無線信号を無線アンテナを介して送受信し、無線アンテナを介して受信した無線信号を復調部３２に供給すると共に、変調部３５から供給される無線信号を送信する。ＲＦ送受信部３１は、また、ＲＦ制御部３４からの制御によって１つのチャネルを現在送受信チャネルとして使用する。ＲＦ送受信部３１が用いる無線通信規格としてＺｉｇＢｅｅ規格を用いた場合、物理層のインターフェースにはＩＥＥＥ８０２．１５．４の規格が適用され、無線ＬＡＮ規格のＩＥＥＥ８０２．１１ｂと同じ２．４ＧＨｚ帯の周波数帯域を１６のチャンネルに分割して利用可能である。また、データ転送速度は最大２５０ｋｂｐｓ、伝送距離は最大３０ｍ、１つのネットワークに最大６４０００個の機器を接続できる。
【００１７】
復調部３２はＯＱＰＳＫ（Offset Quadrature Phase Shift Keying）等の変調方式を用いた変調された無線信号を復調しデータ信号を再生する。変調部３５は、無線信号をデータ信号に応じて同様にＯＱＰＳＫ等の変調方式を用いて変調する。ＲＳＳＩ測定部３３は、ＲＦ送受信部３１に現在設定されている１つの現在送受信チャネルの無線信号の電界強度を測定し、電界強度を表すＲＳＳＩ（Received Signal Strength Indication）信号を生成し、これを妨害波検出回路４０に供給する。
【００１８】
ＲＦ制御部３４は、物理層処理部３６から供給される送受信切替信号に応じてＲＦ送受信部３１の送受信動作（RX_ON及びTX_ON等）を制御する。ＲＦ制御部３４は、また、物理層処理部３６から供給されるチャネル設定信号に応じてＲＦ送受信部３１の現在送受信チャネルを複数のチャネルのうちから選択する。妨害波検出回路４０は、ＲＦ送受信部３１から供給される現在送受信チャネルの無線信号が入力され、当該無線信号から妨害波を検出し、妨害波が検出された場合に割込信号を物理層処理部３６に供給する。妨害波検出回路４０は、また、物理層処理部３６から供給される電界強度閾値等の値を取り込む。
【００１９】
物理層処理部３６は、ＯＳＩ参照モデルの物理層に位置する処理を担い、復調部３２からのデータ信号を取り込むと共にデータ信号を変調部３５に供給する。物理層処理部３６は、また、妨害波検出回路４０に電界強度閾値及び継続時間比較値を設定すると共に、妨害波検出回路４０からチャネル切替を促す割込信号を取り込む。物理層処理部３６は、この割込信号に応じてＲＦ制御部３４にチャネル設定信号を供給する。
【００２０】
ＭＡＣ層処理部３７は、ネットワークのＯＳＩ参照モデルのデータリンク層の処理を担い、無線信号のフレーム構造やＣＳＭＡ／ＣＡ等のアクセス制御を行ってデータ信号をホストコントローラ３８との間で中継する。ホストコントローラ３８は、ホスト側すなわち外部のマイコン等の回路にレディ信号を供給してデータの入出力を行う。ホストコントローラ３８は、また、外部から供給される電界強度閾値及び継続時間比較値をＭＡＣ層処理部３７を介して物理層処理部３６に供給する。レギュレータ３９は、上記した各部に動作電力を安定供給する。
【００２１】
本実施例においては、無線ＬＳＩ装置３０が送受信する無線信号として例えばＺｉｇＢｅｅ規格の無線信号が用いられると説明されたが、本発明にかかる限定はない。無線ＬＳＩ装置３０が送受信する無線信号は、赤外線等の光信号であってもよく、可聴信号や超音波信号等の音響信号であってもよい。従って、無線信号の伝送方式は、無線ＰＡＮ標準の方式に限られず、無線ＬＡＮ標準或いはブルートゥース等の方式であってもよい。
【００２２】
図６は、図５に示された妨害波検出回路４０の内部構成を示している。妨害波検出回路４０は、電界強度判定器４１と、継続時間比較器４２と、電界強度閾値レジスタ４３と、継続時間比較値レジスタ４４と、継続時間カウンタ４５と、を含む。
【００２３】
電界強度判定器４１は、ＲＳＳＩ値が所定の電界強度閾値（感度点を示す値）より大きいか小さいかを判定する判定回路である。継続時間比較器４２は、継続時間カウンタ４５のカウント値が所定の継続時間比較値と比較し、妨害波の継続時間が該継続時間比較値を超えたときに割込信号を発生する回路である。
【００２４】
電界強度閾値レジスタ４３は、電界強度閾値が設定されるレジスタであり、外部から設定自在とする。継続時間比較値レジスタ４４は、継続時間比較値が設定されるレジスタであり、外部から設定自在とする。継続時間カウンタ４５は、電界強度判定器４１からトリガに応じて時間カウントを行うカウンタである。
【００２５】
電界強度閾値及び継続時間比較値は任意に設定され得る。電界強度閾値は、好ましくは用いる無線通信規格や使用環境に従って適切に設定される。継続時間比較値は、好ましくは、パケットの同期外れを考慮して最大パケット長の略２倍に相当する時間に設定される。例えば、ＴＶ無線リモコン用に３４バイトが規定されていた場合、３４×２バイトの伝送時間に相当する時間が設定される。このように、継続時間比較値が任意に設定され得ることから、ＩＥＥＥ等の勧告に示される最大パケット長に制約されることなく、採用システムにとって最適な継続時間比較値を自由に設定することが可能である。これにより最小の待ち時間で妨害波を検出して他チャネルへの移行動作を行うことができ、無駄な待ち時間を最小に抑えることが出来る。尚、継続時間比較値の値は、実際的には、パケットを構成する各情報ビットやシンボルの数を数えることで実質的に継続時間を計数するようにしてもよい。
【００２６】
以上の実施例において、妨害波検出回路４０はハードウェアとして実現される形態が示されたが、本発明にかかる限定はない。妨害波検出回路４０は、通常の中央処理演算装置（ＣＰＵ）によって実行されるソフトウェアによって実現されてもよい。
【００２７】
図７は、本発明による無線ＬＳＩ装置の動作手順を示している。本図では、リモコンコントローラ（リモコン）２００の動作手順が、ＴＶ装置１００の動作との関連に着目して示されている。
【００２８】
先ず、ＴＶ装置１００は、電源ＯＮにすると（ステップＳ１１）、受信ＯＮ状態（RX_ON）に設定する（ステップＳ１２）。次いで、ＴＶ装置１００は、現在送受信チャネルにおける妨害波の有無を判定する（ステップＳ１３）。もし妨害波が有る場合には、受信ＯＦＦ状態（RX_OFF）に再設定し（ステップＳ１７）、次いで、チャネル切替を行う（ステップＳ１８）。ＴＶ装置１００は、ステップＳ１３において当該チャネルに妨害波が無いと判定された場合には、コントロール信号の受信を待つ（ステップＳ１４）。
【００２９】
一方、 リモコン２００も、ボタン押下に応じて電源ＯＮにすると（ステップＳ２１）、受信ＯＮ状態（RX_ON）に設定する（ステップＳ２２）。次いで、リモコン２００は、妨害波の有無を判定する（ステップＳ２３）。もし妨害波が有る場合には、受信ＯＦＦ状態（RX_OFF）に再設定し（ステップＳ２９）、次いで、チャネル切替を行う（ステップＳ２１０）。また、リモコン２００は、ステップＳ２３において妨害波が無いと判定された場合には、送信ＯＮ状態（TX_ON）に再設定し（ステップＳ２４）、コントロール信号を送信する（ステップＳ２５）。次いで、リモコン２００は、送信ＯＮ状態（TX_ON）に再設定する（ステップＳ２６）。
【００３０】
一方、ＴＶ装置１００はコントロール信号の受信待ち状態にあって、反復的にその有無を判定している（ステップＳ１４）。もしリモコン２００からコントロール信号が到来したならば、ＴＶ装置１００は、当該コントロール信号を受信してその内容に応じた動作（例えば音量調整）を行って、送信ＯＮ状態（TX_ON）に再設定し（ステップＳ１５）、Ａｃｋ信号を送信する（ステップＳ１６）。
【００３１】
一方、リモコン２００は、ＴＶ装置１００からのＡｃｋ信号待ち状態にあって、反復的にＡｃｋ信号の有無を判定している（ステップＳ２７）。もしＡｃｋ信号が無い又は所定時間待機しても無い場合にはチャネル切替を行って（ステップＳ２１１）、新たなチャネルにおける妨害波の有無を判定する（ステップＳ２３）。
【００３２】
図８は、図７に示された妨害波有無判定ステップ（Ｓ１３及びＳ２３）の詳細の動作手順を示している。妨害波有無判定ステップ（Ｓ１３）は、ＴＶ装置１００の妨害波検出回路４０において実行される。妨害波有無判定ステップ（Ｓ２３）は、リモートコントローラ２００の妨害波検出回路４０において実行される。
【００３３】
妨害波検出回路４０は、現在送受信チャネルのＲＳＳＩ信号を取り込みその値を判定する（ステップＳ３１）。次に、妨害波検出回路４０は、当該電波が所定の閾値以上であるか否か判定する（ステップＳ３２）。もし閾値未満である場合には妨害波が無いと判定して処理を終了する（ステップＳ３６）。一方、ステップＳ３２において閾値以下である場合には、妨害波検出回路４０は、時間カウントを開始する（ステップＳ３３）。
【００３４】
次に、妨害波検出回路４０は、妨害波の継続時間を判定する（ステップＳ３４）。判定は所定の継続時間比較値と比較することによって、妨害波が所定継続時間を越えて継続しているか否かによって判定される。もし、所定継続時間以上、妨害波が継続している場合には妨害波が有ると判定して処理を終了する（ステップＳ３５）。もし妨害波の継続が所定継続時間未満である場合には妨害波が無いと判定して処理を終了する（ステップＳ３６）。
【００３５】
以上の実施例から明らかなように、本発明による無線ＬＳＩ装置及び妨害波検出回路は、所定閾値を超えたＲＳＳＩの変化を継続してモニタすることによって、所定継続時間中においてＲＳＳＩが所定閾値を下回った場合は、「干渉を受け得ない状態である」と確実に判断することができる。その結果、不必要に無線チャネルの切替動作を実行せずに済み、無駄に電力を消費せずに済む（図１０参照）。また、所定継続時間を越えてＲＳＳＩが所定閾値以上を維持しているかを判定することによって妨害波の存在を確実に判断できることから、混雑するチャネルを避けて安定して通信を行うことができる。
【産業上の利用可能性】
【００３６】
以上の実施例において、本発明による無線ＬＳＩ装置がＴＶ装置及びリモートコントローラに備えられる形態が示されたが、本発明にかかる限定はない。本発明による無線ＬＳＩ装置は、妨害波の存在が想定され、複数の無線チャネルうちの何れかのチャネルを選択して無線通信を行うことが求められる多様な通信装置の備えられてもよい。また、本発明による妨害波検出回路が、大規模半導体集積回路として実現される無線ＬＳＩ装置に備えられる形態が示されたが、本発明にかかる限定はない。本発明による妨害波検出回路は、妨害波の電界強度の変化に応じて妨害波の有無を判定することが求められる多様な通信装置の一部として実現されてもよい。
【図面の簡単な説明】
【００３７】
【図１】ＴＶ装置とリモートコントローラとの間で通常行われる信号のやり取りの様子を示す説明図である。
【図２】図１に示された状況におけるリモコン側の電界強度（ＲＳＳＩ）と測定タイミングとの関係を示すタイミングチャートである。
【図３】本発明に実施例を示し、リモートコントローラと共に用いられるＴＶ装置の構成を示すブロック図である。
【図４】本発明に実施例を示し、ＴＶ装置と共に用いられるリモートコントローラの構成を示すブロック図である。
【図５】図３及び図４に示された無線ＬＳＩ装置の内部構成を示すブロック図である。
【図６】図５に示された妨害波検出回路の内部構成を示すブロック図である。
【図７】本発明による無線ＬＳＩ装置の動作手順を示すシーケンス図である。
【図８】図７に示された妨害波有無判定ステップの詳細の動作手順を示すフローチャートである。
【図９】コントロール信号のフォーマットを示すブロック図である。
【図１０】消費電流の変化を従来例と比較して示すタイムチャートである。
【符号の説明】
【００３８】
１１、２１  無線アンテナ
１２、２２  ホストマイコン
１３、１４、１３、２４  電源ライン
１５、２５  電源
２６  キースキャンユニット
３０  無線ＬＳＩ装置
３１  ＲＦ送受信部
３２  復調部
３３  ＲＳＳＩ測定部
３４  ＲＦ制御部
３５  変調部
３６  物理層処理部
３７  ＭＡＣ層処理部
３８  ホストコントローラ
３９  レギュレータ
４０  妨害波検出回路
４１  電界強度判定器
４２  継続時間比較器
４３  電界強度閾値レジスタ
４４  継続時間比較値レジスタ
４５  継続時間カウンタ
１００  テレビジョン（ＴＶ）装置
２００  リモートコントローラ（リモコン）
【図１】
2010124188.tif 000003
【図２】
2010124188.tif 000004
【図３】
2010124188.tif 000005
【図４】
2010124188.tif 000006
【図５】
2010124188.tif 000007
【図６】
2010124188.tif 000008
【図７】
2010124188.tif 000009
【図８】
2010124188.tif 000010
【図９】
2010124188.tif 000011
【図１０】
2010124188.tif 000012